(57)【要約】【課題】吐水具から吐水される湯水の吐水方向を所定の範囲に向けた場合、特に横（水平）方向に向けた場合には、シンクの周囲や床に湯水が飛び散って水浸しになることを防止する吐水具を提供する。【解決手段】吐水具１４は、ホース１０の先端に接続され、湯水が通過する流路が形成されたケース体１７と、該ケース体１７の先端に接続され湯水が吐水される吐水口１５とを備え、前記ケース体１７には吐水口１５を所定の範囲に向けた時に通過する湯水の流量を制限する流量調節ユニット２７を収容したものである。【選択図】  図２
2004204600.tif 000002
【特許請求の範囲】
【請求項１】
ホースの先端に接続され、湯水が通過する流路が形成されたケース体と、該ケース体の先端に接続され湯水が吐水される吐水口とを備え、前記ケース体には吐水口を所定の範囲に向けた時に通過する湯水の流量を制限する流量調節ユニットを収容したことを特徴とする吐水具。
【請求項２】
前記流量調節ユニットは、湯水が通過する流路が形成された流路部材と、流路の通水面積を制限することのできる調節部材とからなり、調節部材は流路部材に対し回転自在としたことを特徴とする請求項１記載の吐水具。
【請求項３】
前記流量調節ユニットの調節部材は互いの重量が異なるように形成した二つの調節具を備え、一方の調節具はその自重により常に下側に位置するようにし、吐水口を略横方向に向けた時に、流路との通水面積を制限することで、少量のみ吐水されるようにしたことを特徴とする請求項１又は２記載の吐水具。
【発明の詳細な説明】
【０００１】
【発明の属する技術分野】
本発明は、例えば流し台や洗面台等で使用され、湯水を吐水する吐水具に関する。
【０００２】
【従来の技術】
従来、流し台や洗面台等で使用され、湯や水（以下、単に湯水という）の流量又は温度が調節される水栓とホースを介して接続した吐水具が公知であり、吐水具の先端には湯水を吐水するための吐水口を備え、例えばシンクで食器等を洗う際には、吐水具を回転させて吐水口を下向きから傾斜方向に向きを変え、効率よく洗浄できるようにしている。（例えば特許文献１参照）。
【０００３】
【特許文献１】
特開平９−１０１３３号公報
【０００４】
前記吐水具では、吐水口を下に向けて湯水を吐水している際に、向きを不用意に横方向へ変えてしまったり、吐水口が横を向いている状態で湯水の吐水を開始させてしまうと、吐水口から吐水される湯水は流し台や洗面台のシンクからはみ出してしまい、シンクの周りだけでなく、流し台の横に配置されている家財や床等を水浸しにする恐れがあり、使い勝手の悪いものであった。
【０００５】
【発明が解決しようとする課題】
この発明は、このような従来の技術に存在する問題点に着目したものであり、その目的は、吐水具から吐水される湯水の吐水方向を所定の範囲に向けた場合、特に横（水平）方向に向けた場合には、シンクの周囲や床に湯水が飛び散って水浸しになることを防止する吐水具を提供するものである。
【０００６】
【課題を解決するための手段】
本発明は請求項１では、吐水具は、ホースの先端に接続され、湯水が通過する流路が形成されたケース体と、該ケース体の先端に接続され湯水が吐水される吐水口とを備え、前記ケース体には吐水口を所定の範囲に向けた時に通過する湯水の流量を制限する流量調節ユニットを収容したものである。
【０００７】
請求項２では、前記流量調節ユニットは、湯水が通過する流路が形成された流路部材と、流路の通水面積を制限することのできる調節部材とからなり、調節部材は流路部材に対し回転自在としたものである。
【０００８】
請求項３では、前記流量調節ユニットの調節部材は、互いの重量が異なるように形成した二つの調節具を備え、一方の調節具はその自重により常に下側に位置するようにし、吐水口を略横方向に向けた時に、流路との通水面積を制限することで、少量のみ吐水されるようにしたものである。
【０００９】
【発明の実施の形態】
以下、本発明の実施の形態を図に基づいて説明する。
図１に示すように、流し台，洗面台１等のカウンター３にはシンク３ａが設けられ、該シンク３ａの後方には水栓４が取り付けられている。該水栓４は湯水の流量及び温度が調節される本体部材５と、該本体部材５で調節された湯水を吐水する吐水具１４と、該吐水具１４を引き出し自在に支持するホルダー１１とから構成されている。
【００１０】
前記本体部材５の下部には、給湯源と連通した給湯管８と、給水源と連通した給水管９とがそれぞれ接続されており、各管８，９から供給された湯と水は、本体部材５内に収容された混合装置６により混合される。該混合装置６はレバー７と連繋し、該レバー７を上下又は左右に操作することで、吐水される湯水の流量又は温度を調節することができ、調節された湯水は、本体部材５に接続されキャビネット２の内部に垂れ下がった状態で収容されているホース１０を通過し、該ホース１０の先端に結合された吐水具１４より吐水される。
【００１１】
図２に示すように、前記ホルダー１１は内部が中空の湾曲した筒状で、カウンター３に取り付けられており、先端には、内部への水の浸入を防止し、且つ、吐水具１４を支持するためのセレーション１３が形成された水切部材１２が装着されており、ホルダー１１の内部には、前記本体部材５と連通したホース１０を引き出し自在に挿通している。
【００１２】
前記吐水具１４は、ホース１０から供給される湯水を外部へ吐水するための吐水口１５と、該吐水口１５と接続したケース体１７とを備えている。吐水口１５は湯水を外部へ吐水するためのものであり、基端にはケース体１７を接続するための雄ねじ部１６が形成されている。なお、本実施例では吐水口は湯水の吐水形態を例えば直流と散水又は直流と泡沫、その他複数の流路に、用途に応じて切替可能である。
【００１３】
前記ケース体１７は円筒形で、内周に向けて突出して形成された環状の鍔部１８を挟んで、第１雌ねじ部１９と第２雌ねじ部２０とが形成されており、第１雌ねじ部１９はケース体１７をホルダー１１に着脱自在に支持するためのジョイント２２に、第２雌ねじ部２０は吐水口１５の雄ねじ部１６にそれぞれ螺着されている。また、第１雌ねじ部１９と鍔部１８との間には収容室２１が形成され、該収容室２１には後述する流量調節ユニット２７が収容される。
【００１４】
前記ジョイント２２は略円筒状で、略中央には内周に向かって突出した環状の鍔部２３が形成されており、該鍔部２３を挟んで一方の内周には開口孔２４が、他方の内周には前記水切部材１２に形成されたセレーション１３と嵌合するセレーション２６が形成されている。前記開口孔２４には前記本体部材５と連通したホース１０の一端が挿入されており、ジョイント２２の外周に形成された雄ねじ部２５をケース体１７の第１雌ねじ部１９に螺着することで、ジョイント２２とケース体１７とは結合され、吐水具１４をホルダー１１に対して引き出し自在に支持している。
【００１５】
図３に示すように、前記流量調節ユニット２７は、第１流路部材２８と、第２流路部材３１と、調節部材３４とにより構成され、第１流路部材２８と第２流路部材３１との間に調節部材３４を挟み込むようにして、前記ケース体１７の収容室２１に収容されている。
【００１６】
前記第１流路部材２８及び第２流路部材３１は、金属製又は合成樹脂製の円柱状で、中央には調節部材３４に形成された横軸３５を挿入して支持するための軸孔３０，３３がそれぞれに形成されている。また、軸孔３０，３３と同一面には、軸孔３０，３３を中心軸として同一円周上に２個の流路２９，３２が貫通してそれぞれ形成されている。
【００１７】
前記調節部材３４は金属製で、第１流路部材２８及び第２流路部材３１の各軸孔３０，３３に挿入可能な横軸３５と、該横軸３５の中央で、横軸３５に対し縦軸３６が交差する方向に突出して形成され、該縦軸３６の一端には第１調節具３７が、他端には第２調節具３８がそれぞれ形成されている。第１調節具３７は前記流路２９，３２と略同径の円柱状であり、縦軸３６の先端を基端として横軸３５に対して平行方向に、横軸３５の略半分の長さにわたり一方に突出して形成されている。また、第２調節具３８は前記流路２９，３２より大径の円柱状であり、縦軸３６の先端を中心として横軸３５に対して平行方向に形成されている。前記調節部材３４を、横軸３５の両端を第１流路部材２８の軸孔３０及び第２流路部材３１の軸孔３３にそれぞれ挿入して支持すると、各調節具３７，３８の一方の端面と第１流路部材２８の端面、及び各調節具３７，３８の他方の端面と第２流路部材３１の端面との間には、僅かな隙間がそれぞれ形成され、調節部材３４は横軸３５を中心に各調節具３７，３８に対し回転自在となる。
【００１８】
吐水具１４を組み立てる際に、前記流量調節ユニット２７の調節部材３４は、第１流路部材２８と第２流路部材３１との間に挟み込むようにしてケース体１７の収容室２１に収容されているが、その位置関係は図３に示すように、調節部材３４の縦軸３６と、第１流路部材２８の各流路２９を結ぶ線とが互いに垂直方向になるような位置関係で収容されている。また、調節部材と第２流路部材との位置関係も同じである。
【００１９】
吐水具１４はホース１０と共にホルダー１１から引き出した状態で左右に向きを変えると、ケース体１７に収容された流量調節ユニット２７の第１流路部材２８と第２流路部材３１とは、吐水口１５と共に回転する。この時、第１流路部材２８と第２流路部材３１とは、調節部材３４の横軸３５を中心として回転するが、調節部材３４の第２調節具３８は第１調節具３７より重いため、その自重により第２調節具３８が第１調節具３７より常に下側に位置している。
【００２０】
吐水具１４をホース１０と共にホルダー１１から引き出した状態で湯水を吐水する際に、吐水口１５をシンク３ａに対し上方向又は下方向に向けた場合、吐水口１５と共に第１流路部材２８及び第２流路部材３１も吐水口１５と共に回転するが、図４（ａ），（ｂ）及び図６（ａ），（ｂ）に示すように、第２調節具３８は第１調節具３７より重いため、その自重により常に第２調節具３８が下側に位置し、各調節具３７，３８の端面と第１流路部２８の流路２９とは重なり合わないので、本体部材５で設定された流量の湯水が、ホース１０から第１流路部材２８及び第２流路部材３１の流路２９，３２を通過して、吐水口１５より吐水される。
【００２１】
また、吐水具１４をホルダー１１から引き出した状態で、吐水具１４を左又は右方向、即ち、横方向に向けた場合、吐水口１５と共に第１流路部材２８及び第２流路部材３１も共に回転するが、図５（ａ），（ｂ）に示すように、第２調節具３８は第１調節具３７より重いため、その自重により常に第２調節具３８が下側に位置するため、流量調節ユニット２７の各調節具３７，３８端面と第１流路部材２８の流路２９とが重なり合う。この時、各調節具３７，３８と第１流路部材２８の端面との間には僅かな隙間しかなくなるため、本体部材５で設定された流量の湯水は調節部材３４により遮られ、吐水口１５からはごく少量の湯水しか吐水されない。このように吐水口１５を横方向に向けた場合は、調節部材３４により第１流路部材２８の流路２９が遮られるため、ごく少量の湯水しか吐水されず、シンク３ａの周りや床に湯水が飛び散って水浸しになることがない。なお、本実施例では、水栓は本体部材とホルダー及び吐水具とを別体したが、図７に示すように吐水具が支持されたホルダーを、本体部材に回転自在に装着してもよい。また、吐水具とケース体とは一体に形成されていてもよい。
【００２２】
以上のように本発明は、吐水具をホルダーから引き出した状態において、吐水口が下又は上方向に向いている場合には、湯水は吐水口より通常に吐水されるが、吐水口が左又は右方向（横方向）に向いている場合には、吐水される湯水の流量が調節部材によって制限されるため、ごく少量の流量しか吐水されず、シンクの周りや床に湯水が飛び散って水浸しになることを防止することができる。
【００２３】
図８及び図９は更に別の実施例であり、吐水具をホルダーに支持した状態でも吐水口を回転可能としたものである。
前記吐水具１４ａは、ホース１０から供給される湯水を外部へ吐水するための吐水口１５と、該吐水口１５と接続したケース体１７ａとを備えている。吐水口１５は湯水を外部へ吐水するためのものであり、基端にはケース体１７ａを接続するための雄ねじ部１６が形成されている。
【００２４】
前記ケース体１７ａは円筒形で、内周に向けて突出して形成された環状の鍔部１８を挟んで、開口部１９ａと第２雌ねじ部２０とが形成されており、第２雌ねじ部２０には吐水口１５の雄ねじ部１６が螺着される。また、開口部１９ａには抜止めリング３９が嵌合する円弧状の係合孔２１ａを下部に開口している。さらに、開口部１９ａと鍔部１８との間には収容室２１が形成され、該収容室２１には後述する流量調節ユニット２７が収容される。
【００２５】
前記ジョイント２２ａは略円筒状で、略中央には内周に向かって突出した環状の鍔部２３が形成されており、該鍔部２３を挟んで一方の内周には開口孔２４が、他方の内周には前記水切部材１２に形成されたセレーション１３と嵌合するセレーション２６が形成されている。前記開口孔２４には前記本体部材５と連通したホース１０の一端が挿入されている。また、開口孔２４の外周には抜止め溝２５ａが形成されており、ジョイント２２ａをケース体１７ａに挿入した状態で、抜止めリング３９をケース体１７ａの係合孔２１ａに差し込むことで、ジョイント２２ａとケース体１７ａとは回転自在に結合され、吐水具１４ａをホルダー１１に対して引き出し自在に支持している。
【００２６】
前記抜止めリング３９は弾性力を備えた樹脂で形成され、図９に示すように基部４０の両端から略直角になるように一対の把持片４１，４１を備えた略コ字形に形成し、基部４０を支点として両把持片４１，４１は拡径，縮径方向に弾性変形可能である。
【００２７】
この抜止めリング３９はジョイント２２ａをケース体１７ａの開口部１９ａに挿入した後に、ケース体１７ａの係合孔２１ａに差し込むと、両把持片４１，４１がジョイント２２ａの抜止め溝２５ａ側面に弾力的に嵌合し、基部４０がケース体１７ａの係合孔２１ａに隙間なく係合し、ケース体１７ａとジョイント２２ａとが結合し抜止めがされ、取り付けが完了する。これにより、吐水具１４ａをホルダー１１に支持した状態でも、吐水口１５を握り回転させると、吐水口１５とケース体１７ａとは、ジョイント２２ａに対し回転するものである。
【００２８】
吐水具１４ａをホルダー１１に支持した状態で湯水を吐水する際に、吐水口１５をシンク３ａに対し上方向又は下方向に向けた場合、吐水口１５と共に第１流路部材２８及び第２流路部材３１も回転するが、先の実施例と同様に、第２調節具３８は第１調節具３７より重いため、その自重により常に第２調節具３８が下側に位置し、各調節具３７，３８の端面と第１流路部２８の流路２９とは重なり合わないので、本体部材５で設定された流量の湯水が、ホース１０から第１流路部材２８及び第２流路部材３１の流路２９，３２を通過して、吐水口１５より吐水される。
【００２９】
また、吐水具１４ａをホルダー１１に支持した状態で、吐水具１４ａを左又は右方向、即ち、横方向に向けた場合、吐水口１５と共に第１流路部材２８及び第２流路部材３１も共に回転するが、第２調節具３８は第１調節具３７より重いため、その自重により常に第２調節具３８が下側に位置し、流量調節ユニット２７の各調節具３７，３８端面と第１流路部材２８の流路２９とが重なり合う。この時、各調節具３７，３８と第１流路部材２８の端面との間には僅かな隙間しかなくなるため、本体部材５で設定された流量の湯水は調節部材３４により遮られ、吐水口１５からはごく少量の湯水しか吐水されない。このように吐水口１５を横方向に向けた場合は、調節部材３４により第１流路部材２８の流路２９が遮られるため、ごく少量の湯水しか吐水されず、シンク３ａの周りや床に湯水が飛び散って水浸しになることがない。
【００３０】
以上のように本発明は、吐水具をホルダーに支持した状態において、吐水口が下又は上方向に向いている場合には、湯水は吐水口より通常に吐水されるが、吐水口が左又は右方向（横方向）に向いている場合には、吐水される湯水の流量が調節部材によって制限されるため、ごく少量の流量しか吐水されず、シンクの周りや床に湯水が飛び散って水浸しになることを防止することができる。
【００３１】
【発明の効果】
本発明の吐水具は、ホースの先端に接続され、湯水が通過する流路が形成されたケース体と、該ケース体の先端に接続され湯水が吐水される吐水口とを備え、前記ケース体には吐水口を所定の範囲に向けた時に通過する湯水の流量を制限する流量調節ユニットを収容したので、吐水口が下又は上方向に向いている場合には、湯水は吐水口より通常に吐水されるが、吐水口が左又は右方向（水平方向）に向いている場合には、吐水される湯水の流量が調節部材によって制限されるため、ごく少量の流量しか吐水されず、シンクの周りや床に湯水が飛び散って水浸しになることを防止することができる。
【図面の簡単な説明】
【図１】本発明の吐水具を備えた水栓を取り付けた状態を示す説明図である。
【図２】図１の要部拡大断面図である。
【図３】流量調節ユニットの分解斜視図である。
【図４】吐水具をホルダーに対して下方向に向けて吐水した場合であり、（ａ）は外観図を、（ｂ）は第１流路部材と調節部材との関係を示す説明図である。
【図５】吐水具をホルダーに対して横方向に向けて吐水した場合であり、（ａ）は外観図を、（ｂ）は第１流路部材と調節部材との関係を示す説明図である。
【図６】吐水具をホルダーに対して上方向に向けて吐水した場合であり、（ａ）は外観図を、（ｂ）は第１流路部材と調節部材との関係を示す説明図である。
【図７】本発明の別の実施例であり、水栓の本体部材にホルダー及び吐水具を回転自在に装着した例を示す説明図である。
【図８】本発明の更に別の実施例であり、吐水具をホルダーに支持した状態でも回転可能とした例を示す説明図である。
【図９】図８において、吐水具のジョイントをケース体に結合する場合の説明図である。
【符号の説明】
１０                    ホース
１４，１４ａ            吐水具
１５                    吐水口
１７，１７ａ            ケース体
２７                    流量調節ユニット
２８                    第１流路部材
２９，３２              流路
３１                    第２流路部材
３４                    調節部材
３７                    第１調節具
３８                    第２調節具
【図１】
2004204600.tif 000003
【図２】
2004204600.tif 000004
【図３】
2004204600.tif 000005
【図４】
2004204600.tif 000006
【図５】
2004204600.tif 000007
【図６】
2004204600.tif 000008
【図７】
2004204600.tif 000009
【図８】
2004204600.tif 000010
【図９】
2004204600.tif 000011